(57)【要約】　　　（修正有）【課題】完全に土、培養土（石）或いは類似物等の栽培媒体不要で、密封されて倒れて環境汚染を発生しない保湿型土無し植え込み式植物栽培容器の提供。【解決手段】貯水空間を提供する容器１１が蓋１４で密封され、該容器内に植え込み容器２が組み付けられ、水を植え込み容器内に導入して植え込み容器内を含水保湿状態となす導水手段３が該植え込み容器の底部より延伸され、植え込み容器内に収容した植物５を容器外部の開口２２より延伸させられ、及び、中空の植え込み容器の空間により、植物の根部５１を直接植え込み容器に挿入し栽培することができ、植え込み容器が直接植物根部の栽培媒体を提供し、容器が密封されて容器内の貯水の完全密封と土無しの環境を提供し、容器が倒れても栽培環境の衛生を確保でき、容器の傾倒による水や土による汚染の問題がない。【選択図】　　　　図４
0003099005.tif 000002
【実用新案登録請求の範囲】
【請求項１】
　保湿型土無し植え込み式植物栽培容器において、
　容器の瓶本体部分が中空の立体容積空間を提供し、瓶口が蓋の螺合により密封され、植え込み容器を組み付けるための少なくとも一つの孔を具えた容器保存体と、
　位置決めシール手段が組み合わされて容器保存体に開設された孔に組み付けられて栽培媒体とされると共に少なくとも一つの栽培空間が開設された少なくとも一つの植え込み容器と、
　該植え込み容器の底部に組み付けられて栽培空間と連通し、且つ一端が容器内に延伸されて保存液に浸された導水手段と、
　を具え、植え込み容器が植物根部の栽培媒体とされたことと、容器が密封されたことにより完全に閉じた貯水と土無しの栽培環境を提供し、容器が傾倒した時に、土、水が傾倒により栽培環境周囲にこぼれることがなく、栽培環境周囲の衛生を保持し、保存液が密封されてほぼ蒸発せず、容器内に保存された保存液の補充回数が少なく、カビ或いは小虫のを発生させないことを特徴とする、保湿型土無し植え込み式植物栽培容器。
【請求項２】
　請求項１記載の保湿型土無し植え込み式植物栽培容器において、容器保存体に各種の形状或いは規格の容器を使用可能であることを特徴とする、保湿型土無し植え込み式植物栽培容器。
【請求項３】
　請求項２記載の保湿型土無し植え込み式植物栽培容器において、容器保存体に土石を焼いて成形した容器が使用されたことを特徴とする、保湿型土無し植え込み式植物栽培容器。
【請求項４】
　請求項２記載の保湿型土無し植え込み式植物栽培容器において、容器保存体にガラス製品の容器が使用されたことを特徴とする、保湿型土無し植え込み式植物栽培容器。
【請求項５】
　請求項２記載の保湿型土無し植え込み式植物栽培容器において、容器保存体にアクリル製品の容器が使用されたことを特徴とする、保湿型土無し植え込み式植物栽培容器。
【請求項６】
　請求項２記載の保湿型土無し植え込み式植物栽培容器において、容器保存体にプラスチック製品の容器が使用されたことを特徴とする、保湿型土無し植え込み式植物栽培容器。
【請求項７】
　請求項２記載の保湿型土無し植え込み式植物栽培容器において、容器保存体に液体を保存する機能を具えた材料で形成された容器が使用されたことを特徴とする、保湿型土無し植え込み式植物栽培容器。
【請求項８】
　請求項２記載の保湿型土無し植え込み式植物栽培容器において、容器保存体に透明な容器が使用されたことを特徴とする、保湿型土無し植え込み式植物栽培容器。
【請求項９】
　請求項２記載の保湿型土無し植え込み式植物栽培容器において、容器保存体に不透明な容器が使用されたことを特徴とする、保湿型土無し植え込み式植物栽培容器。
【請求項１０】
　請求項１記載の保湿型土無し植え込み式植物栽培容器において、蓋の端面に閉じることができる充填口が開設されて容器内の保存液の充填に便利とされたことを特徴とする、保湿型土無し植え込み式植物栽培容器。
【請求項１１】
　請求項１記載の保湿型土無し植え込み式植物栽培容器において、容器保存体に開設された植え込み容器の組み付け用の孔が、蓋の端面に開設され、並びに複数の孔が開設されたことを特徴とする、保湿型土無し植え込み式植物栽培容器。
【請求項１２】
　請求項１記載の保湿型土無し植え込み式植物栽培容器において、容器保存体に開設された植え込み容器の組み付け用の孔が、容器の任意の端面位置に開設され、並びに複数の孔が開設されたことを特徴とする、保湿型土無し植え込み式植物栽培容器。
【請求項１３】
　請求項１記載の保湿型土無し植え込み式植物栽培容器において、植え込み容器が毛細孔を具えて含水、保湿及び通気特性を具え、植物の根部の生長に必要な付着のための構造体とされ、植え込み容器の栽培空間の上端に開口が設けられて蓋体の孔に組み付けられ、該開口より植物が挿入され、植え込み容器の別端が容器の密閉状態の容積空間中に延伸されたことを特徴とする、保湿型土無し植え込み式植物栽培容器。
【請求項１４】
　請求項１３記載の保湿型土無し植え込み式植物栽培容器において、植え込み容器が土石類材料を焼いて成形したものとされたことを特徴とする、保湿型土無し植え込み式植物栽培容器。
【請求項１５】
　請求項１３記載の保湿型土無し植え込み式植物栽培容器において、植え込み容器が発布材料で形成されたことを特徴とする、保湿型土無し植え込み式植物栽培容器。
【請求項１６】
　請求項１３記載の保湿型土無し植え込み式植物栽培容器において、植え込み容器が綿材料或いは不織布で形成されたことを特徴とする、保湿型土無し植え込み式植物栽培容器。
【請求項１７】
　請求項１３記載の保湿型土無し植え込み式植物栽培容器において、植え込み容器がプラスチック材料を加工して形成されたことを特徴とする、保湿型土無し植え込み式植物栽培容器。
【請求項１８】
　請求項１３記載の保湿型土無し植え込み式植物栽培容器において、植え込み容器が含水、保湿及び毛細孔通気特性を具えた材料で形成されたことを特徴とする、保湿型土無し植え込み式植物栽培容器。
【請求項１９】
　請求項１３記載の保湿型土無し植え込み式植物栽培容器において、植え込み容器が発泡材料、綿材料或いは不織布、プラスチック材料、含水、保湿及び毛細孔通気特性を具えた材料を選択的に混合し加工して形成されたことを特徴とする、保湿型土無し植え込み式植物栽培容器。
【請求項２０】
　請求項１３記載の保湿型土無し植え込み式植物栽培容器において、植え込み容器が各種形状、規格の単体構造が使用されたことを特徴とする、保湿型土無し植え込み式植物栽培容器。
【請求項２１】
　請求項１３記載の保湿型土無し植え込み式植物栽培容器において、植え込み容器が容器保存体に一体に形成されたことを特徴とする、保湿型土無し植え込み式植物栽培容器。
【請求項２２】
　請求項１３記載の保湿型土無し植え込み式植物栽培容器において、植え込み容器が容器保存体の内側底部に一体に上向きに延伸するよう組み付けられたことを特徴とする、保湿型土無し植え込み式植物栽培容器。
【請求項２３】
　請求項１３記載の保湿型土無し植え込み式植物栽培容器において、植え込み容器の上端の開口部分が蓋の孔の直径より大きく形成されて植え込み容器の位置決めに供されることを特徴とする、保湿型土無し植え込み式植物栽培容器。
【請求項２４】
　請求項１３記載の保湿型土無し植え込み式植物栽培容器において、植え込み容器の上端の開口部分に嵌合手段の嵌合により蓋の孔の直径より大きい直径状態が形成されて植え込み容器の位置決めに供されることを特徴とする、保湿型土無し植え込み式植物栽培容器。
【請求項２５】
　請求項１記載の保湿型土無し植え込み式植物栽培容器において、位置決めシール手段が防水性の良好な材料で形成され、外側周囲端面に外嵌溝が開設されて蓋体の孔に対応して組み合わされ、位置決めシール手段に中心孔が設けられて、植え込み容器が中心孔に組み付けられ、植え込み容器と蓋の孔の間にあって位置決めシール手段が密封と位置決めを形成することを特徴とする、保湿型土無し植え込み式植物栽培容器。
【請求項２６】
　請求項２５記載の保湿型土無し植え込み式植物栽培容器において、位置決めシール手段の外嵌溝の溝の高さが蓋の端面厚さ以下とされ、溝底に形成される直径が蓋の孔の直径に相当し、この位置決めシール手段が蓋に開設された孔に嵌め込まれることを特徴とする、保湿型土無し植え込み式植物栽培容器。
【請求項２７】
　請求項２５記載の保湿型土無し植え込み式植物栽培容器において、位置決めシール手段の中心孔の孔径と形状が植え込み容器の形状と外径に等しいか或いはそれよりやや小さく形成され、植え込み容器の嵌め込みと位置決めに供されることを特徴とする、保湿型土無し植え込み式植物栽培容器。
【請求項２８】
　請求項１記載の保湿型土無し植え込み式植物栽培容器において、容器と植え込み容器間で水を送る導水手段が長い帯状或いは条状を呈することを特徴とする、保湿型土無し植え込み式植物栽培容器。
【請求項２９】
　請求項２８記載の保湿型土無し植え込み式植物栽培容器において、導水手段の一端に、直接成形方式或いは巻き付け方式により、植え込み容器の栽培空間の直径以上の直径が形成され、植え込み容器の底部に組み付けられて栽培空間と連通することを特徴とする、保湿型土無し植え込み式植物栽培容器。
【請求項３０】
　請求項２８記載の保湿型土無し植え込み式植物栽培容器において、導水手段の一端が、嵌合手段により植え込み容器の底部に組み付けられて栽培空間と連通することを特徴とする、保湿型土無し植え込み式植物栽培容器。
【請求項３１】
　請求項２８記載の保湿型土無し植え込み式植物栽培容器において、導水手段が綿製品或いは不織布等の吸水特性を具えて材料で形成されたことを特徴とする、保湿型土無し植え込み式植物栽培容器。
【請求項３２】
　請求項１記載の保湿型土無し植え込み式植物栽培容器において、蓋と容器が実際の使用要求により螺合によらず被覆式に組み合わされて簡単に蓋を開いて保存液を充填できるものとされたことを特徴とする、保湿型土無し植え込み式植物栽培容器。
【請求項３３】
　請求項１記載の保湿型土無し植え込み式植物栽培容器において、蓋と容器が実際の使用要求により固定式に組み合わされて固定式の密封状態を形成し、蓋の端面に充填口が開設されたことを特徴とする、保湿型土無し植え込み式植物栽培容器。
【請求項３４】
　保湿型土無し植え込み式植物栽培容器において、
　容器内が中空の立体容積空間を提供し、瓶口に蓋が嵌め込まれて密封され、植え込み容器を組み付けるための少なくとも一つの孔を具えた容器保存体と、
　位置決めシール手段が組み合わされて容器保存体に開設された孔に組み付けられて栽培媒体とされると共に少なくとも一つの栽培空間が開設された少なくとも一つの植え込み容器と、
　該植え込み容器の底部に組み付けられて栽培空間と連通し、且つ一端が容器内に延伸されて保存液に浸された導水手段と、
　を具え、植え込み容器が植物根部の栽培媒体とされたことと、容器が密封されたことにより完全に閉じた貯水と土無しの栽培環境を提供し、容器が傾倒した時に、土、水が傾倒により栽培環境周囲にこぼれることがなく、栽培環境周囲の衛生を保持し、保存液が密封されてほぼ蒸発せず、容器内に保存された保存液の補充回数が少なく、カビ或いは小虫のを発生させないことを特徴とする、保湿型土無し植え込み式植物栽培容器。
【請求項３５】
　請求項３４記載の保湿型土無し植え込み式植物栽培容器において、蓋が弾性を有する材料で形成され、且つ蓋の形状が瓶口の直径よりやや大きく形成されたことを特徴とする、保湿型土無し植え込み式植物栽培容器。
【請求項３６】
　請求項３５記載の保湿型土無し植え込み式植物栽培容器において、蓋がコルクで形成されたことを特徴とする、保湿型土無し植え込み式植物栽培容器。
【請求項３７】
　請求項３５記載の保湿型土無し植え込み式植物栽培容器において、蓋がゴムで形成されたことを特徴とする、保湿型土無し植え込み式植物栽培容器。
【請求項３８】
　請求項３５記載の保湿型土無し植え込み式植物栽培容器において、蓋がポリスチレンで形成されたことを特徴とする、保湿型土無し植え込み式植物栽培容器。
【請求項３９】
　請求項３４記載の保湿型土無し植え込み式植物栽培容器において、蓋の端面に形成されて植え込み容器の組み付けに供される孔が、植え込み容器の外径以下に形成されて、植え込み容器の嵌め込み時の結束と密封を形成することを特徴とする、保湿型土無し植え込み式植物栽培容器。
【考案の詳細な説明】
【技術分野】
【０００１】
　本考案は一種の保湿型土無し植え込み式植物栽培容器に係り、特に植え込み容器により含水、保湿及び通気機能を具えた植物栽培空間と媒体を提供し、植物の生長に必要な水と養分を密封式保存して毛細作用を利用して適量を吸収伝送することにより、植物根部に適当な生長の必要と根の付着できる容器を獲得させ、容器が倒れた時に、水或いは土がこぼれて環境を汚染する問題を発生しない、保湿型土無し植え込み式植物栽培容器に関する。
【背景技術】
【０００２】
　伝統的な一般の植物栽培容器（いわゆる植木鉢）は、完全に開放された栽培方式であり、それは、異なる寸法の充填栽培媒体（例えば土、培養土（石）或いはその他の類似の栽培用物質）を収容する空間を提供することにより、各種の植物（花、草、木等）を栽培するのに供され、容器底部には容器内に溜まった余分の水分を排出するための排水孔が開設されている。しかし、このような伝統的な栽培容器は植物を栽培する目的を達成できるものの、以下のような使用上の欠点を有している。
　１．直接栽培媒体が露出した完全開放式の栽培容器は、栽培媒体（特に土壌）が栽培容器の最大径部分の面積と等しい面積が空気中に露出し、さらに水分を含むため、空気中の細菌やその他の物質が直接栽培媒体上に落ち、このために容器内の栽培媒体の表面にカビが発生したり虫が湧きやすくなり、環境に対する汚染或いは植物の生長に対する影響を形成したり、病菌の発生環境となった。
　２．また、このような栽培容器の使用は完全に開放式の栽培であり、外力或いは不注意から容器が倒れると、栽培媒体（例えば土、培養土（石）或いはその他の類似の栽培用物質）及び水分が直接こぼれ、周囲の環境を汚し、時間と手間をかけて掃除したり容器、植物、栽培媒体を整理しなおす必要が生じ、特に現在オフィスのデスクや環境中で小型の盆栽を置くことが流行しているが、一旦倒れて水や土がこぼれると、デスク上を汚すだけでなく、デスク上の電子機器（コンピュータ、電話等）の損壊をもたらすことがあり、問題である。
　３．栽培容器の底部に排水孔が開設された構造は、注入水量が過多の時に水を外部に排出する時、容器放置部分の周辺を濡らしてしまったり、境界部分の土石が外向きに流出して周囲を汚したり、容器内の栽培媒体（特に土）が流出して徐々に減少する問題がある。
　４．地域や季節の違いにより、自然天候或いは室内環境の湿度及び温度は異なるが、栽培媒体（特に土壌）が完全に開放されて露出する状況では、容器内の栽培媒体（特に土）の水分が蒸発しやすく、植物の生長への影響を特に注意しなければならず、これにより栽培者が栽培にかける時間と手間が増し、これは忙しい人にとっては少なからず負担になる。
　５．完全に開放され露出した栽培媒体、及び、水分の底部の排水口からの排出と蒸発現象により、一日に少なくとも１回から２回の水やりをしなければ水分不足により植物の生長に影響が生じたり、植物の生長が遅くなったり、更には枯れてしまう現象が発生する。
【０００３】
　上述の伝統的な一般の栽培容器と植木鉢の栽培使用上の欠点と問題に対して、各種の異なる栽培容器構造、例えば特許文献１〜５が提供されているほか、異なる栽培媒体、例えば請求項６〜９が提供されている。
【０００４】
　これらの異なる栽培容器構造の多くは、伝統的な栽培容器の周囲に、貯水瓶を掛けるか、或いは容器に直接貯水空間を形成し、滴下式或いはサイホン原理を組み合わせて栽培媒体（特に土）に適量の水分を提供し、水を多くやりすぎることにより植物を腐らせたり或いは過量の水分が排水孔より排出されることによる汚れの問題を防止したものである。しかしこのような構造と栽培方式は、ただ上述の伝統的な栽培容器の第３と第５の欠点を改善し、第４の欠点に対して水やりの頻度を３〜６日に一度に減らす改善を行なっているにすぎず、上述の第１及び第２の欠点に対しては、栽培媒体が完全開放式の栽培構造方式であるため、改善できていない。
【０００５】
　また、これらの発明に記載の人造土壌は、伝統的な一般の土の代わりに採用されるだけであり、伝統的な栽培方式と同じく植木鉢或いはガラス容器に充填して栽培するため、伝統的な栽培方式の、倒れて周囲を汚す問題を有している。
【０００６】
　別に異なる栽培容器の構造が、特許文献１０と特許文献１１に記載されている。そのうち、特許文献１０に記載の栽培容器構造は、基本的に防災容器と給水アセンブリの貯水部を重ねて組み合わせるか或いは一致に結合させてなり、給水管が貯水室に連結されて貯水室に水を充填し、給水アセンブリ中の土石を焼いてなる導水体の二端が貯水部と盆栽容器中に充填された土中にそれぞれ挿入され、導水体の毛細現象により適量の水を土に送る。このような構造設計は、前述の一般の栽培容器の第３、第５の欠点を解決でき、第４の欠点に対しても、３〜６日に一度に水やり回数を減らすことができる。しかし、このような栽培方式は、実際上、伝統的な植木鉢と同様に一般の土を使用しており、且つ栽培媒体が露出する完全開放式栽培であり、ゆえに前述の伝統的な栽培容器の第１及び第２の欠点を有している。
【０００７】
　特許文献１１に記載の栽培容器構造は、基本的に水タンクを貯水容器とし、容器上端に網架が設けられ並びに吸水綿が敷設され水が送られ、内部に土等の栽培媒体を置いた植物栽培用の栽培皿が直接水タンクに敷設された吸水綿上に置かれ、吸水綿の水分が栽培皿底部の貫通孔を透過して土に送られる。このような構造設計は、前述の一般の栽培容器の第３、第５の欠点を解決し、第４の欠点に対して３〜６日に一度に給水回数を減らすことができるが、事実上、その栽培方式は伝統的な植木鉢と同様に一般の土を使用し、且つ栽培媒体が露出した完全開放式栽培であり、ゆえに前述の伝統的な栽培容器の第１及び第２に対する改善はなされていない。
【０００８】
【特許文献１】台湾実用新案公告第１６７８３３号明細書
【特許文献２】台湾実用新案公告第２９６５４０号明細書
【特許文献３】台湾実用新案公告第３１３７５５号明細書
【特許文献４】台湾実用新案公告第３９７６６７号明細書
【特許文献５】台湾実用新案公告第４０１７３９号明細書
【特許文献６】台湾特許公告第２５９６８６号明細書
【特許文献７】台湾特許公告第３３０８３３号明細書
【特許文献８】台湾特許公告第４４６７４５号明細書
【特許文献９】台湾特許公告第４１６８２９号明細書
【特許文献１０】台湾実用新案公告第４１２９１９号明細書
【特許文献１１】台湾実用新案公告第４３５０６２号明細書
【考案の開示】
【考案が解決しようとする課題】
【０００９】
　本考案の主要な目的は、上述の伝統的な栽培容器と各特許文献の記載の内容が、いずれも各種の土壌と栽培媒体に容器を組み合わせて栽培媒体が完全に開放された状態で栽培するために、カビや小虫、蚊などの発生環境となり、且つ経常的に水分を補充しなければならず、また容器を倒すと栽培媒体（例えば土、培養土（石）或いはその他の類似の栽培用物質）及び水分が直接こぼれて周囲の環境を汚すという欠点を解決することにある。
【課題を解決するための手段】
【００１０】
　請求項１の考案は、保湿型土無し植え込み式植物栽培容器において、
　容器の瓶本体部分が中空の立体容積空間を提供し、瓶口が蓋の螺合により密封され、植え込み容器を組み付けるための少なくとも一つの孔を具えた容器保存体と、
　位置決めシール手段が組み合わされて容器保存体に開設された孔に組み付けられて栽培媒体とされると共に少なくとも一つの栽培空間が開設された少なくとも一つの植え込み容器と、
　該植え込み容器の底部に組み付けられて栽培空間と連通し、且つ一端が容器内に延伸されて保存液に浸された導水手段と、
　を具え、植え込み容器が植物根部の栽培媒体とされたことと、容器が密封されたことにより完全に閉じた貯水と土無しの栽培環境を提供し、容器が傾倒した時に、土、水が傾倒により栽培環境周囲にこぼれることがなく、栽培環境周囲の衛生を保持し、保存液が密封されてほぼ蒸発せず、容器内に保存された保存液の補充回数が少なく、カビ或いは小虫のを発生させないことを特徴とする、保湿型土無し植え込み式植物栽培容器としている。
　請求項２の考案は、請求項１記載の保湿型土無し植え込み式植物栽培容器において、容器保存体に各種の形状或いは規格の容器を使用可能であることを特徴とする、保湿型土無し植え込み式植物栽培容器としている。
　請求項３の考案は、請求項２記載の保湿型土無し植え込み式植物栽培容器において、容器保存体に土石を焼いて成形した容器が使用されたことを特徴とする、保湿型土無し植え込み式植物栽培容器としている。
　請求項４の考案は、請求項２記載の保湿型土無し植え込み式植物栽培容器において、容器保存体にガラス製品の容器が使用されたことを特徴とする、保湿型土無し植え込み式植物栽培容器としている。
　請求項５の考案は、請求項２記載の保湿型土無し植え込み式植物栽培容器において、容器保存体にアクリル製品の容器が使用されたことを特徴とする、保湿型土無し植え込み式植物栽培容器としている。
　請求項６の考案は、請求項２記載の保湿型土無し植え込み式植物栽培容器において、容器保存体にプラスチック製品の容器が使用されたことを特徴とする、保湿型土無し植え込み式植物栽培容器としている。
　請求項７の考案は、請求項２記載の保湿型土無し植え込み式植物栽培容器において、容器保存体に液体を保存する機能を具えた材料で形成された容器が使用されたことを特徴とする、保湿型土無し植え込み式植物栽培容器としている。
　請求項８の考案は、請求項２記載の保湿型土無し植え込み式植物栽培容器において、容器保存体に透明な容器が使用されたことを特徴とする、保湿型土無し植え込み式植物栽培容器としている。
　請求項９の考案は、請求項２記載の保湿型土無し植え込み式植物栽培容器において、容器保存体に不透明な容器が使用されたことを特徴とする、保湿型土無し植え込み式植物栽培容器としている。
　請求項１０の考案は、請求項１記載の保湿型土無し植え込み式植物栽培容器において、蓋の端面に閉じることができる充填口が開設されて容器内の保存液の充填に便利とされたことを特徴とする、保湿型土無し植え込み式植物栽培容器としている。
　請求項１１の考案は、請求項１記載の保湿型土無し植え込み式植物栽培容器において、容器保存体に開設された植え込み容器の組み付け用の孔が、蓋の端面に開設され、並びに複数の孔が開設されたことを特徴とする、保湿型土無し植え込み式植物栽培容器としている。
　請求項１２の考案は、請求項１記載の保湿型土無し植え込み式植物栽培容器において、容器保存体に開設された植え込み容器の組み付け用の孔が、容器の任意の端面位置に開設され、並びに複数の孔が開設されたことを特徴とする、保湿型土無し植え込み式植物栽培容器としている。
　請求項１３の考案は、請求項１記載の保湿型土無し植え込み式植物栽培容器において、植え込み容器が毛細孔を具えて含水、保湿及び通気特性を具え、植物の根部の生長に必要な付着のための構造体とされ、植え込み容器の栽培空間の上端に開口が設けられて蓋体の孔に組み付けられ、該開口より植物が挿入され、植え込み容器の別端が容器の密閉状態の容積空間中に延伸されたことを特徴とする、保湿型土無し植え込み式植物栽培容器としている。
　請求項１４の考案は、請求項１３記載の保湿型土無し植え込み式植物栽培容器において、植え込み容器が土石類材料を焼いて成形したものとされたことを特徴とする、保湿型土無し植え込み式植物栽培容器としている。
　請求項１５の考案は、請求項１３記載の保湿型土無し植え込み式植物栽培容器において、植え込み容器が発布材料で形成されたことを特徴とする、保湿型土無し植え込み式植物栽培容器としている。
　請求項１６の考案は、請求項１３記載の保湿型土無し植え込み式植物栽培容器において、植え込み容器が綿材料或いは不織布で形成されたことを特徴とする、保湿型土無し植え込み式植物栽培容器としている。
　請求項１７の考案は、請求項１３記載の保湿型土無し植え込み式植物栽培容器において、植え込み容器がプラスチック材料を加工して形成されたことを特徴とする、保湿型土無し植え込み式植物栽培容器としている。
　請求項１８の考案は、請求項１３記載の保湿型土無し植え込み式植物栽培容器において、植え込み容器が含水、保湿及び毛細孔通気特性を具えた材料で形成されたことを特徴とする、保湿型土無し植え込み式植物栽培容器としている。
　請求項１９の考案は、請求項１３記載の保湿型土無し植え込み式植物栽培容器において、植え込み容器が発泡材料、綿材料或いは不織布、プラスチック材料、含水、保湿及び毛細孔通気特性を具えた材料を選択的に混合し加工して形成されたことを特徴とする、保湿型土無し植え込み式植物栽培容器としている。
　請求項２０の考案は、請求項１３記載の保湿型土無し植え込み式植物栽培容器において、植え込み容器が各種形状、規格の単体構造が使用されたことを特徴とする、保湿型土無し植え込み式植物栽培容器としている。
　請求項２１の考案は、請求項１３記載の保湿型土無し植え込み式植物栽培容器において、植え込み容器が容器保存体に一体に形成されたことを特徴とする、保湿型土無し植え込み式植物栽培容器としている。
　請求項２２の考案は、請求項１３記載の保湿型土無し植え込み式植物栽培容器において、植え込み容器が容器保存体の内側底部に一体に上向きに延伸するよう組み付けられたことを特徴とする、保湿型土無し植え込み式植物栽培容器としている。
　請求項２３の考案は、請求項１３記載の保湿型土無し植え込み式植物栽培容器において、植え込み容器の上端の開口部分が蓋の孔の直径より大きく形成されて植え込み容器の位置決めに供されることを特徴とする、保湿型土無し植え込み式植物栽培容器としている。
　請求項２４の考案は、請求項１３記載の保湿型土無し植え込み式植物栽培容器において、植え込み容器の上端の開口部分に嵌合手段の嵌合により蓋の孔の直径より大きい直径状態が形成されて植え込み容器の位置決めに供されることを特徴とする、保湿型土無し植え込み式植物栽培容器としている。
　請求項２５の考案は、請求項１記載の保湿型土無し植え込み式植物栽培容器において、位置決めシール手段が防水性の良好な材料で形成され、外側周囲端面に外嵌溝が開設されて蓋体の孔に対応して組み合わされ、位置決めシール手段に中心孔が設けられて、植え込み容器が中心孔に組み付けられ、植え込み容器と蓋の孔の間にあって位置決めシール手段が密封と位置決めを形成することを特徴とする、保湿型土無し植え込み式植物栽培容器としている。
　請求項２６の考案は、請求項２５記載の保湿型土無し植え込み式植物栽培容器において、位置決めシール手段の外嵌溝の溝の高さが蓋の端面厚さ以下とされ、溝底に形成される直径が蓋の孔の直径に相当し、この位置決めシール手段が蓋に開設された孔に嵌め込まれることを特徴とする、保湿型土無し植え込み式植物栽培容器としている。
　請求項２７の考案は、請求項２５記載の保湿型土無し植え込み式植物栽培容器において、位置決めシール手段の中心孔の孔径と形状が植え込み容器の形状と外径に等しいか或いはそれよりやや小さく形成され、植え込み容器の嵌め込みと位置決めに供されることを特徴とする、保湿型土無し植え込み式植物栽培容器としている。
　請求項２８の考案は、請求項１記載の保湿型土無し植え込み式植物栽培容器において、容器と植え込み容器間で水を送る導水手段が長い帯状或いは条状を呈することを特徴とする、保湿型土無し植え込み式植物栽培容器としている。
　請求項２９の考案は、請求項２８記載の保湿型土無し植え込み式植物栽培容器において、導水手段の一端に、直接成形方式或いは巻き付け方式により、植え込み容器の栽培空間の直径以上の直径が形成され、植え込み容器の底部に組み付けられて栽培空間と連通することを特徴とする、保湿型土無し植え込み式植物栽培容器としている。
　請求項３０の考案は、請求項２８記載の保湿型土無し植え込み式植物栽培容器において、導水手段の一端が、嵌合手段により植え込み容器の底部に組み付けられて栽培空間と連通することを特徴とする、保湿型土無し植え込み式植物栽培容器としている。
　請求項３１の考案は、請求項２８記載の保湿型土無し植え込み式植物栽培容器において、導水手段が綿製品或いは不織布等の吸水特性を具えて材料で形成されたことを特徴とする、保湿型土無し植え込み式植物栽培容器としている。
　請求項３２の考案は、請求項１記載の保湿型土無し植え込み式植物栽培容器において、蓋と容器が実際の使用要求により螺合によらず被覆式に組み合わされて簡単に蓋を開いて保存液を充填できるものとされたことを特徴とする、保湿型土無し植え込み式植物栽培容器としている。
　請求項３３の考案は、請求項１記載の保湿型土無し植え込み式植物栽培容器において、蓋と容器が実際の使用要求により固定式に組み合わされて固定式の密封状態を形成し、蓋の端面に充填口が開設されたことを特徴とする、保湿型土無し植え込み式植物栽培容器としている。
　請求項３４の考案は、保湿型土無し植え込み式植物栽培容器において、
　容器内が中空の立体容積空間を提供し、瓶口に蓋が嵌め込まれて密封され、植え込み容器を組み付けるための少なくとも一つの孔を具えた容器保存体と、
　位置決めシール手段が組み合わされて容器保存体に開設された孔に組み付けられて栽培媒体とされると共に少なくとも一つの栽培空間が開設された少なくとも一つの植え込み容器と、
　該植え込み容器の底部に組み付けられて栽培空間と連通し、且つ一端が容器内に延伸されて保存液に浸された導水手段と、
　を具え、植え込み容器が植物根部の栽培媒体とされたことと、容器が密封されたことにより完全に閉じた貯水と土無しの栽培環境を提供し、容器が傾倒した時に、土、水が傾倒により栽培環境周囲にこぼれることがなく、栽培環境周囲の衛生を保持し、保存液が密封されてほぼ蒸発せず、容器内に保存された保存液の補充回数が少なく、カビ或いは小虫のを発生させないことを特徴とする、保湿型土無し植え込み式植物栽培容器としている。
　請求項３５の考案は、請求項３４記載の保湿型土無し植え込み式植物栽培容器において、蓋が弾性を有する材料で形成され、且つ蓋の形状が瓶口の直径よりやや大きく形成されたことを特徴とする、保湿型土無し植え込み式植物栽培容器としている。
　請求項３６の考案は、請求項３５記載の保湿型土無し植え込み式植物栽培容器において、蓋がコルクで形成さ　請求項３７の考案は、請求項３５記載の保湿型土無し植え込み式植物栽培容器において、蓋がゴムで形成されたことを特徴とする、保湿型土無し植え込み式植物栽培容器としている。
　請求項３８の考案は、請求項３５記載の保湿型土無し植え込み式植物栽培容器において、蓋がポリスチレンで形成されたことを特徴とする、保湿型土無し植え込み式植物栽培容器としている。
　請求項３９の考案は、請求項３４記載の保湿型土無し植え込み式植物栽培容器において、蓋の端面に形成されて植え込み容器の組み付けに供される孔が、植え込み容器の外径以下に形成されて、植え込み容器の嵌め込み時の結束と密封を形成することを特徴とする、保湿型土無し植え込み式植物栽培容器としている。
【考案の効果】
【００１１】
　本考案は、完全に土、培養土（石）或いは類似物等の栽培媒体不要で、密封されて倒れて環境汚染を発生しない保湿型土無し植え込み式植物栽培容器を提供している。本考案によると、貯水空間を提供する容器が蓋で密封され、該容器内に植え込み容器が組み付けられ、水を植え込み容器内に導入して植え込み容器内を含水保湿状態となす導水手段が該植え込み容器の底部より延伸され、植え込み容器内に収容した植物を容器外部の開口より延伸させられ、及び、中空の植え込み容器の空間により、植物の根部を直接植え込み容器に挿入し栽培することができ、植え込み容器が直接植物根部の栽培媒体を提供し、容器が密封されて容器内の貯水の完全密封と土無しの環境を提供し、容器が倒れても栽培環境の衛生を確保でき、容器の傾倒による水や土による汚染の問題がない。
【考案を実施するための最良の形態】
【００１２】
　本考案の保湿型土無し植え込み式植物栽培容器は、貯水空間を具えた容器を具え、該貯水空間が蓋により密封され、該容器中に植え込み容器が組み付けられ、該植え込み容器の底部より導水手段が延伸され、該導水手段が適量の容器内の水を吸収して植え込み容器内に導入し、含水保湿状態を獲得させ、植え込み容器より容器外部に延伸された開口により中空の栽培空間を提供し、及び容器の密封により、完全に密封された貯水と無土栽培の環境を提供し、容器が倒れても栽培環境衛生を保持できるようにする効果を提供し、容器が傾倒して水や土が汚れを形成する問題がなく、また、貯水の密封により蒸発する状況がほぼ無いため、容器内に保存された貯水を比較的長時間補充する必要がなく、更にカビや小虫の発生する環境を形成しない。
【実施例１】
【００１３】
　図１から図４は本考案の提供する密封栽培環境の具体的実施例を示す。図示されるように、本考案の実施例の構造は、容器保存体１を具え、該容器保存体１は各種の形状と規格の密封保存体とされうる。また本考案は該容器保存体１内に組み付けられる植え込み容器２と、容器保存体１と植え込み容器２の間の水の伝送を行なう導水手段３を具えている。
【００１４】
　この容器保存体１は、容器１１を具え、該容器１１は底部が閉じられた瓶本体１２と瓶口１３で組成され、瓶本体１２部分が栽培液体（水或いはその他の培養液、養分液体等）の常態保存を行なう中空の立体容積空間１５を提供する。蓋１４が容器１１の瓶口１３に直接螺合されて完全な密封蓋とされ、密封状態の容積空間１５を獲得し、栽培液体を密封状態で保存し且つ傾倒してこぼれる恐れを無くしている。蓋１４の端面には少なくとも一つの植え込み容器２の組み付けに供される少なくとも一つの孔１６が開設されている。
【００１５】
　上述の容器保存体１には各種の異なる形状と規格の透明或いは不透明な容器を採用でき、且つ土石を焼いて成形したもの、或いはガラス製品又はアクリル製品、プラスチック製品、或いはその他の液体を保存できる機能を有する材料で形成されたものを採用可能である。
【００１６】
　少なくとも一つの植え込み容器２は、位置決めシール手段４が組み合わされて直接蓋１４の各孔１６位置に嵌め込まれ、且つこの植え込み容器２の蓋１４との組み合わせは垂直な組み合わせに限定されるわけではなく、各種の異なる組立角度或いは設定された造形にあった組み合わせとされうる。該植え込み容器２は本実施例では長管２１形状設計とされるが、この形状に限定されるわけではなく、中心部分が中空状で、少なくとも一つの栽培空間２０を提供し栽培媒体として画定し、完全に栽培媒体（例えば土、培養土（石）或いは人造土或いはその他の栽培用物質）の使用不要で、植物の根部を収容する。植え込み容器２の蓋１４上端に延伸された開口２２より直接植物がこの栽培空間２０に挿入されて栽培され、この開口２２は孔１６よりやや大きな直径を有し、植え込み容器２を位置決めできる。当然、嵌合手段１８を組み合わせて（本実施例中で採用している）蓋の孔よりやや大きい直径状態を形成して植え込み容器の組み付け位置決めに供することもでき、植え込み容器２の別端は容器１１の密封状態の容積空間１５中に延伸され、導水手段３が組み合わされて容器１１内に保存された液体を、含水、保湿及び通気性を有する植え込み容器２に送り、植物の必要とする適量の水分を提供する。
【００１７】
　上述の植え込み容器２は毛細孔を具えて良好な含水、保湿及び通気性を具え、且つ植物の根部の生長に必要な構造体として供され、土無しの植物栽培方式下で、植物に十分で過量でない水分と根部の必要とする通気と生長空間を提供する。この植え込み容器２は土石類材料を焼いて形成したもの、或いは各種発泡性材料で製造したもの、或いは各種スポンジ座利用或いは不織布で製図尾したもの、或いはプラスチック材料の加工製品、或いはその他のこのような含水、保湿及び毛細孔による通気特性を具えた材料で製造したものとされる。また上述の各材料を混合し加工した製品も使用可能である。
【００１８】
　この植え込み容器２は設計或いは必要により上述材料で各種の異なる単体形状が形成されて、蓋１４に組み合わされて容器１１内に延伸されるか、直接上述の容器保存体１或いは容器１１の内側底部に一体成形されるか或いは固定される方式（接着或いは直接放置）の方式で上向きに延伸されたものとされうる。
【００１９】
　上述の位置決めシール手段４は、防水性の良好な材料で形成され、外側周囲端面部分に外嵌溝４１が形成され、その溝の高さが蓋体１４の端面厚さと同じかそれより小さくされ、溝底が蓋１４の孔１６と同じ直径に形成され、これによりこの位置決めシール手段４が蓋１４の孔１６に嵌め込まれる。該位置決めシール手段４は中心孔４２を具え、その孔径と形状は植え込み容器２の形状と外径にほぼ等しいか小さく、植え込み容器２が直接中心孔４２に挿入され、植え込み容器２と蓋１４の孔１６との間がこの位置決めシール手段４により密封及び位置決めされる。
【００２０】
　容器保存体１と植え込み容器２の間で水を輸送する導水手段３は、帯状或いは条状に形成され、その材質は吸水特性を有し、並びに綿製品或いは不織布の使用が最適である。導水手段３の一端に成形方式或いは巻き付け方式により植え込み容器２の栽培空間２０の直径と同じかやや大きい直径部分が形成され、直接容器１１内の植え込み容器２の底部と栽培空間２０を連通させるか、或いは嵌合手段３１（図１の実施例で採用されているもの）を組み合わせて容器１１内の植え込み容器２の底部に嵌め込まれ、栽培空間２０と連通し、導水手段３の別端は容器１１内の保存液に浸され、液体を吸収して植え込み容器２に送る。
【００２１】
　本考案の実施例の組立と使用状況については、図２から図４を参照されたい。少なくとも一つの植え込み容器２が位置決めシール手段４により水密状態を呈するように蓋１４の孔１６に嵌め込まれ、容器１１に液体が収容された後に蓋１４が螺合され密封され、植え込み容器２の底部の導水手段３が延伸されて保存液に浸され（図２、３）、保存液が導水手段３の毛細管現象により吸い上げられて植え込み容器２に送られ、植え込み容器２の具備する含水、保湿及び毛細孔特性が組み合わされて湿潤な生長空間が提供され、こうして植え込み容器２が栽培媒体とされて完全に閉じた貯水と土無しの栽培環境が形成される。続いて植物５の根部５１が植え込み容器２の蓋１４上端に延伸された開口２２より栽培空間２０に挿入されて栽培され（図４）、根部５１が含水、保湿及び毛細孔通気特性を具えた植え込み容器２により生長に必要な適量の水分と養分を獲得し、且つ根部５１が植え込み容器２内で生長するか、或いは植え込み容器２の毛細孔に付着し生長し、また保存液を補填する必要がある時は、蓋１４を回して容器１１の瓶口１３を開放させれば保存液を充填でき、再度蓋１４で容器１１の瓶口１３を閉じればよく、簡単に保存液を充填でき、蓋１４で容器１１を閉じることにより、閉じた状態で保存液を保存する組立状態を形成できる。当然、蓋１４の端綿に閉じた充填口１７を開設することもでき（図６）、これにより容器１１内の保存液を補填するのに更に便利となる。本考案はこのような栽培構造設計下で、保存液が完全に容器内に密封され、且つ直接植え込み容器２が栽培媒体とされて土或いは類似の媒体の使用を免除しているため、完全に清潔で且つ密封された栽培環境を形成し、容器保存体１が傾いた時も（図５）、保存液が容器１１内に密封されているため、水や土が流出して汚れを形成する恐れがなく、栽培環境の衛生効果を保持することができる。また、保存液はほぼ蒸発することがなく、容器１１内の保存液の補充回数が少なくてすみ、更にカビや小虫の発生する環境を形成しない。さらにデスク上に小型のものを設置した場合、倒れてデスク上の環境を汚したり電子器材（コンピュータ、電話等）を損壊させる恐れがない。
【実施例２】
【００２２】
　本考案の構造内容はその設計の精神と範囲内において一部修飾できる。図７から図９は本考案のもう一つの実施例の構造であり、この容器保存体１の蓋１４には少なくとも一つの孔１６が設けられ、少なくとも一つの植え込み容器２が位置決めシール手段４を組み合わせて蓋１４の孔１６に組み付けられ、且つ植え込み容器２の底部に導水手段３が組み付けられている。
【００２３】
　蓋１４と容器１１の組み合わせは、実際の使用要求により、また、栽培放置環境が完全に倒れる恐れがない場合に、蓋１４は螺合方式でなく直接容器１１の瓶口１９を被覆するよう設定されて開閉して保存液を補充できる形態（図７〜８）とされうる。
【実施例３】
【００２４】
　また、この蓋１４は固定方式（接着方式）で容器１１の瓶口１９と固定式密封状態を以て結合されて、蓋１４の端面に閉じることのできる充填口１７が設けられて容器１１内の保存液を充填するのに便利な形態とされうる（図９）。
【００２５】
　上述の容器保存体１への少なくとも一つの植え込み容器２の組み付けは、蓋１４に開設された孔１６に組み付けるだけでなく、容器保存体１の端面に少なくとも一つの孔を開設して植え込み容器２を組み付ける形態も可能であり、同様の栽培効果を達成できる。
【実施例４】
【００２６】
　さらに図１０から図１１には本考案の更に別の実施例の構造が示される。それによると、少なくとも一つの植え込み容器２が容器保存体１に嵌め込まれ、且つ植え込み容器２の底部に導水手段３が組み付けられている。
【００２７】
　容器保存体１は容器１１を具え、この容器１１は容器１１を具え、該容器１１は底部が閉じられた瓶本体１２と瓶口１３で組成され、瓶本体１２部分が栽培液体（水或いはその他の培養液、養分液体等）の常態保存を行なう中空の立体容積空間１５を提供する。蓋１４が容器１１の瓶口１３に直接嵌め込まれて完全な密封蓋とされ、密封状態の容積空間１５を獲得し、栽培液体を密封状態で保存し且つ傾倒してこぼれる恐れを無くしている。蓋１４の端面には少なくとも一つの植え込み容器２の組み付けに供される貫通状態の少なくとも一つの孔１６が開設されている。
【００２８】
　上述の蓋１４は弾性を具備する材料で形成され、コルク或いはゴム或いはポリスチレンが材料として使用されうる。且つ蓋１４の形状は直径が瓶口１９の直径よりやや大きく、適当な圧力を加えることで蓋１４が容器１１の瓶口１９に組み付けられる。蓋１４の端面に開設された孔１６の孔径は植え込み容器２の外径よりやや小さく、これにより結束密封の組み合わせ効果を形成するが、当然その他の直径が符合するものも使用でき、これに限定されるわけではない。
【００２９】
　このような構造設計により、密封した容器保存体１を形成して保存液を保存し、蓋１４を開放させて保存液を補填でき、並びに植え込み容器２により植物５の根の付着と生長の空間と水分を提供し、前述の各実施例と同様に完全に閉じた貯水と土無しの栽培環境を提要し、容器が倒れても栽培環境の衛生効果を保持し、水、土の傾倒時の流出による汚れ形成の問題がない。
【００３０】
　なお、以上の実施例は本考案の構造と機能を説明するために提示したものであって本考案の実施範囲を限定するものではなく、本考案に基づきなしうる細部の修飾或いは改変は、いずれも本考案の請求範囲に属するものとする。
【図面の簡単な説明】
【００３１】
【図１】本考案の実施例の分解斜視図である。
【図２】図１の実施例の組み合わせ後の斜視図である。
【図３】図１の実施例の組み合わせ後の断面図である。
【図４】図１の実施例の栽培状態を示す断面図である。
【図５】図１の実施例の傾倒状態表示図である。
【図６】本考案の充填口に設置された蓋の構造断面図である。
【図７】本考案の第２実施例の立体局部分解図である。
【図８】本考案の第２実施例の組み合わせ後の断面図である。
【図９】本考案の第３実施例の組み合わせ後の断面図である。
【図１０】本考案の第４実施例の分解斜視図である。
【図１１】本考案の第４実施例の組み合わせ後の断面図である。
【符号の説明】
【００３２】
　１　容器保存体
　２　植え込み容器
　３　導水手段
　４　位置決めシール手段
　５　植物
　１１　容器
　１２　瓶本体
　１３　瓶口
　１４　蓋
　１５　容積空間
　１６　孔
　１７　充填口
　１８　嵌合手段
　１９　瓶口
　２０　栽培空間
　２１　長管
　２２　開口
　３１　嵌合手段
　４１　外嵌溝
　４２　中心孔
　５１　根部
【図１】
0003099005.tif 000003
【図２】
0003099005.tif 000004
【図３】
0003099005.tif 000005
【図４】
0003099005.tif 000006
【図５】
0003099005.tif 000007
【図６】
0003099005.tif 000008
【図７】
0003099005.tif 000009
【図８】
0003099005.tif 000010
【図９】
0003099005.tif 000011
【図１０】
0003099005.tif 000012
【図１１】
0003099005.tif 000013